(57)【特許請求の範囲】
【請求項１】
１つ以上の支持ブラケット（２０２）に溶接された１つ以上の水中ライン（２００）を含む原子炉を補修する方法であって、
前記１つ以上の水中ライン（２００）の１つのラインの損傷個所を除去する工程と、
前記１つ以上の水中ライン（２００）の前記１つのラインの前記損傷個所を溶接せずに交換する工程と
を含み、
前記損傷個所を除去する工程が、
前記１つ以上の水中ライン（２００）の前記１つのラインから前記損傷個所を切り取る工程と、
前記１つ以上の支持ブラケット（２０２）の１つのブラケットから前記損傷個所を切り取る工程と
を含み、
前記損傷個所を交換する工程が、
本体を含む装置であって、該本体が、形状記憶特性を有する１つ以上の材料を含む第１の締嵌め具によって、前記１つ以上の支持ブラケット（２０２）の１つに連結されるよう構成された第１の部分と、形状記憶特性を有する１つ以上の材料を含む第２の締嵌め具によって、スプールピースを前記本体に固定する第２の部分とを備える、装置を用いて、
前記損傷個所の代わりに、前記スプールピース（３００、５００、１１０６、１１０８、１２０２）を代用する工程と、
前記１つ以上の水中ライン（２００）の１つに前記スプールピース（３００、５００、１１０６、１１０８、１２０２）の端部（３０６、３０８、５０６、５０８）を接合する工程と、
前記１つ以上の支持ブラケット（２０２）の１つに前記スプールピース（３００、５００、１１０６、１１０８、１２０２）を連結する工程と
を含む
ことを特徴とする方法。
【発明の詳細な説明】
【技術分野】
【０００１】
実施形態例は、原子炉を運転するまた補修するための方法及び装置に関する。さらに、実施形態例は、１つ以上の支持ブラケットに溶接された１つ以上の水中ラインを含む原子炉を運転するまた補修するための方法及び装置に関する。
【背景技術】
【０００２】
図１は、従来技術のＢＷＲにおける原子炉圧力容器（「ＲＰＶ」）１００の一部を切除した状態の断面図である。ＢＷＲの運転時に、ＲＰＶ１００内で循環する冷却水は、炉心１０２内で生じる核分裂によって加熱される。給水は、給水入口１０４及び給水スパージャ１０６（ＲＰＶ１００内で給水を円周方向に分配するための開口を含むリング状の配管）を介してＲＰＶ１００内に入る。給水スパージャ１０６からの給水は、降水管アニュラス１０８（ＲＰＶ１００と炉心シュラウド１１０との間の環状の領域）を通って下方に流れる。
【０００３】
炉心シュラウド１１０は、炉心１０２を囲むステンレス鋼の円筒である。炉心１０２は、多数の燃料集合体１１２（例えば、図１には２つの２ｘ２配列を示している）を含む。燃料集合体１１２の各配列は、その頂部において又はその頂部の近くで頂部ガイド１１４によって支持され、またその底部において又はその底部の近くで炉心プレート１１６によって支持される。頂部ガイド１１４は、燃料集合体１１２の頂部に横方向支持を与えかつ正確な燃料チャネル間隔を維持して制御棒の挿入を可能にする。
【０００４】
冷却水は、降水管アニュラス１０８を通って下方に流れて炉心下方プレナム１１８内に流入する。炉心下方プレナム１１８内の冷却水は次に、炉心１０２を通して上方に流れる。冷却水は、燃料集合体１１２に流入し、燃料集合体１１２内において沸騰境界層が形成される。水及び蒸気の混合物が、炉心１０２から流出し、シュラウドヘッド１２２下方の炉心上方プレナム１２０に流入する。炉心上方プレナム１２０は、炉心１０２から流出する蒸気−水混合物とスタンドパイプ１２４に流入する蒸気−水混合物との間の隔離を行う。スタンドパイプ１２４は、シュラウドヘッド１２２の上に炉心上方プレナム１２０と流体連通状態で配置される。
【０００５】
蒸気−水混合物は、スタンドパイプ１２４を通って流れ、汽水分離器１２６（例えば、軸流遠心式のものとすることができる）に流入する。汽水分離器１２６は、実質的に蒸気−水混合物を液体水及び蒸気に分離する。分離された液体水は、混合プレナム１２８内で、給水と混合する。この混合物は次に、降水管アニュラス１０８を通して炉心１０２に戻る。分離された蒸気は、蒸気乾燥器１３０を通って流れ、蒸気ドーム１３２に流入する。乾燥した蒸気は、タービン及びその他の装置（図示せず）内で使用するために、蒸気出口１３４を通してＲＰＶ１００から抽出される。
【０００６】
ＢＷＲはまた、要求出力密度を達成するのに必要な炉心１０２を通る強制対流を供給する冷却材再循環システムを含む。水の一部分は、再循環水出口１３６を介して降水管アニュラス１０８の下方端部から吸引され、遠心式再循環ポンプ（図示せず）によって、再循環水入口１４０を介して複数のジェットポンプ組立体１３８（そのうちの１つのみを図示している）に強制的に流される。ジェットポンプ組立体１３８は、炉心シュラウド１１０の周りで円周方向に分散配置され、必要な原子炉心流を形成する。
【０００７】
図１に示すように、従来技術のジェットポンプ組立体１３８は、１対の入口ミキサ１４２を含む。典型的なＢＷＲは、１６〜２４台の入口ミキサ１４２を含む。各入口ミキサ１４２は、該入口ミキサに溶接されたエルボ１４４を有し、エルボ１４４は、入口ライザ部１４６を介して再循環ポンプ（図示せず）から水を受ける。入口ミキサ１４２の例は、該入口ミキサ１４２の軸線の周りに等角度で円周方向に分散配置された５つのノズルの組を含む。各ノズルは、その出口において半径方向内向きに先細になっている。ジェットポンプ組立体１３８は、これらの収束ノズルによって作動する。５つの二次入口開口部は、ノズル出口の半径方向外側に位置する。従って、水の噴流がノズルから流出すると、降水管アニュラス１０８からの水は、二次入口開口部を介して入口ミキサ１４２内に吸い込まれ、入口ミキサ１４２内において再循環ポンプからの冷却水と混合される。冷却水は次に、ジェットポンプ組立体１３８内に流入する。
【０００８】
図２は、従来技術のＢＷＲにおけるＲＰＶ１００の内部の一部を切除した状態のかつ／又はシルエットとしての断面図である。各ジェットポンプ組立体１３８は、ディフューザ１４８の頂部における複数の圧力タップと流体連通状態になりかつＲＰＶ１００の外側に設置された計測器（図示せず）と流体連通状態になった検出ライン２００を有する。検出ライン２００は、炉心流を測定しかつ監視することを可能にする。ジェットポンプ組立体１３８を通りかつ該ジェットポンプ組立体１３８外部への流れには、原子炉内の様々な源からの圧力変動が含まれる。これらの圧力変動は、検出ライン２００の１つ以上の固有振動モードに近い周波数を有する可能性がある。これらの振動モードは、検出ライン２００及び該検出ライン２００をジェットポンプ組立体１３８の１つ又はそれ以上に取り付ける支持ブラケット２０２の間隔及び剛性に応じて決まる。励振周波数が、偶然にもある特定の位置における１つ以上の検出ライン２００の固有周波数への合致に極めて近くなった場合に、検出ライン２００の振動により、該検出ライン２００及び／又は支持ブラケット２０２のサイクル疲労割れ及び／又は破損を引き起こすおそれがある荷重が該検出ライン２００及び／又は支持ブラケット２０２に加わる可能性がある。この現象が、多くの部位で発生した場合には、プラント運転停止を必要とする可能性がある炉心流の表示の喪失が生じるおそれがある。
【０００９】
検出ライン２００はまた、保守、補修及び／又はその他の処置の間にその上に落下する物体（すなわち、炉心シュラウド１１０用のヘッドボルト）によって引き起こされる損傷を受ける可能性がある。このことは、ＲＰＶ１００の壁２０６を通してジェットポンプ組立体１３８から貫通ノズル２０４に至る検出ライン２００のようなほぼ水平方向に配向した検出ライン２００の場合に、特に当てはまる可能性がある。
【００１０】
ジェットポンプ検出ライン破損、補修及び交換の問題への様々な解決法が、例えば米国特許第５，６１５，２３９号（「’２３９特許」）、米国特許第５，７５２，８０７号（「’８０７特許」）、米国特許第６，１６３，５８８号（「’５８８特許」）、米国特許第６，２３３，３０１  Ｂ１号（「’３０１特許」）、及び米国特許第６，４３５，８３９  Ｂ１号（「’８３９特許」）に記述されているように提案されてきた。’２３９特許、’８０７特許、’５８８特許、’３０１特許、及び’８３９特許の開示内容は、参考文献として本出願に組み入れている。しかしながら、これらの様々な解決法には、１つ以上の支持ブラケットに溶接された１つ以上の水中ラインを含む原子炉を運転するまた補修するための方法又は装置であって、その水中ラインの１つ又はそれ以上に対する損傷を溶接せずに補修することができる方法又は装置は含まれていない。
【特許文献１】米国特許第５，６１５，２３９号公報
【特許文献２】米国特許第５，７５２，８０７号公報
【特許文献３】米国特許第６，１６３，５８８号公報
【特許文献４】米国特許第６，２３３，３０１  Ｂ１号公報
【特許文献５】米国特許第６，４３５，８３９  Ｂ１号公報
【発明の開示】
【課題を解決するための手段】
【００１１】
実施形態例は、原子炉を運転するまた補修するための方法及び装置に関するものとすることができる。さらに、実施形態例は、１つ以上の支持ブラケットに溶接された１つ以上の水中ラインを含む原子炉を運転するまた補修するための方法及び装置であって、その水中ラインの１つ又はそれ以上に対する損傷を溶接せずに補修することができる方法又は装置に関するものとすることができる。
【００１２】
実施形態例では、１つ以上の支持ブラケットに溶接された１つ以上の水中ラインを含む原子炉を補修する方法は、１つ以上の水中ラインの１つの損傷個所を除去する工程と、１つ以上の水中ラインの１つの損傷個所を溶接せずに交換する工程とを含むことができる。
【００１３】
別の実施形態例では、１つ以上の支持ブラケットに溶接された１つ以上の水中ラインを含む原子炉を補修する方法は、１つ以上の水中ラインの１つ以上の損傷個所を除去する工程と、１つ以上の水中ラインの１つ以上の損傷個所を溶接せずに交換する工程とを含むことができる。
【００１４】
さらに別の実施形態例では、１つ以上の支持ブラケットに溶接された１つ以上の水中ラインを含む原子炉を運転する方法は、原子炉を運転停止する工程と、１つ以上の水中ラインの少なくとも１つに対する損傷を溶接せずに補修する工程と、原子炉を運転開始する工程とを含むことができる。
【００１５】
さらに別の実施形態例では、１つ以上の支持ブラケットに溶接された１つ以上の水中ラインを含む原子炉を運転する方法は、原子炉を冷却運転する工程と、１つ以上の水中ラインの少なくとも１つに対する損傷を溶接せずに補修する工程と、原子炉を昇温運転する工程とを含むことができる。
【００１６】
さらなる実施形態例では、１つ以上の支持ブラケットに溶接された１つ以上の水中ラインを含む原子炉を補修するための装置は、それにスプールピースを溶接せずに固定するようになった１つ以上の部位を備えた本体を含むことができる。
【００１７】
別のさらなる実施形態例では、１つ以上の支持ブラケットに溶接された１つ以上の水中ラインを含む原子炉を補修するための装置は、スプールピースと、それにスプールピースを溶接せずに固定するようになった１つ以上の部位を備えた本体とを含むことができる。
【００１８】
上述の及び／又はその他の態様及び利点は、添付の図面と共になした以下の実施形態例の詳細な説明からより明白になりかつより容易に理解さるようになるであろう。
【発明を実施するための最良の形態】
【００１９】
次に、添付の図面を参照して、実施形態例をより十分に説明する。しかしながら、実施形態は、多くの異なる形態で具現化することができ、本明細書に記載した実施形態例に限定されるものと理解すべきではない。むしろ、これらの実施形態例は、この開示内容が、詳細でかつ完全なものとなり、また当業者にその技術的範囲を十分に伝えることになるように提示している。
【００２０】
構成要素が、別の構成要素「の上に位置する」、「に連結される」、「に結合される」又は「に固定される」と述べた場合には、その構成要素は、直接的に別の構成要素の上に位置し、別の構成要素に連結し、別の構成要素に結合し、又は別の構成要素に固定することができ、或いは介在構成要素が存在するようにすることができることを理解されたい。それと対照的に、構成要素が、別の構成要素「の上に直接位置する」、「に直接連結される」、「に直接結合される」又は「に直接固定される」と述べた場合には、介在構成要素は、全く存在しない。本明細書で使用する場合には、「及び／又は（並びに／或いは）」という用語は、関連の羅列した項目の１つ以上のいずれか及びあらゆる組合せを含む。
【００２１】
本明細書では、第１、第２、第３などの用語を使用して、様々な要素、構成要素、領域、層及び／又は個所を説明しているが、これらの要素、構成要素、領域、層及び／又は個所は、これらの用語によって限定されるべきではないことを理解されたい。これらの用語は、ある要素、構成要素、領域、層又は個所を、別の要素、構成要素、領域、層又は個所と区別するために使用しているだけである。従って、下記の第１の要素、構成要素、領域、層又は個所は、実施形態例の教示から逸脱せずに、第２の要素、構成要素、領域、層又は個所と呼ぶことができる。
【００２２】
本明細書では、「真下に」、「下に」、「下方の」、「上の」、「上方の」及び同様のものなどの空間的に相対的な用語は、図面に示しているように、ある構成要素及び／又は特徴部を別の構成要素及び／又は特徴部或いは１つ又は複数のその他の構成要素及び／又は特徴部に対して説明するための記述を容易にするために使用することができる。空間的に相対的な用語は、図に示した配向に加えて、使用中又は運転中の装置の異なる配向を包含することを意図していることを理解されたい。
【００２３】
本明細書で使用する専門用語は、特定の実施形態例のみを説明する目的のためのものであり、限定することを意図するものではない。本明細書で使用する場合に、数詞のない表現は、文脈でそうではないことを明確に示していなければ、複数の形態も含むことを意図している。さらに、「含む」、「含んだ」、「備える」及び／又は「備えた」という用語は、本明細書で使用する場合には、記述した特徴部、完全体、工程、操作、要素及び／又は構成要素の存在を特定しているが、１つ以上のその他の特徴部、完全体、工程、操作、要素及び／又は構成要素の存在或いは付加を排除するものではないことを理解されたい。
【００２４】
そうではないことを明確に記載していない限り、本明細書で使用する全ての用語（技術的及び科学的用語を含む）は、実施形態例が属する技術分野の当業者が一般に理解するのと同じ意味を有する。さらに、一般に使用されている辞書に記載されているもののような用語は、従来技術の文脈におけるそれらの意味と整合した意味を有するものと解釈すべきであり、本明細書に明白に記載していない限り、理想化した又は過度に形式的な意味に解釈すべきではないことを理解されたい。
【００２５】
次に、添付の図面に示した実施形態例を参照するが、これら図面では、全体を通して同じ参照番号が同様の構成要素を指している。
【００２６】
実施形態例では、１つ以上の支持ブラケットに溶接された１つ以上の水中ラインを含む原子炉を補修する方法は、１つ以上の水中ラインの１つの損傷個所を除去する工程と、また／或いは１つ以上の水中ラインの１つの損傷個所を溶接せずに交換する工程とを含むことができる。
【００２７】
例えば、水中ラインは、計測ライン（すなわち、ジェットポンプ差圧検出ライン）、並びに／或いは１つ以上のその他の水中ラインとすることができる。
【００２８】
損傷個所は、例えば当業者には周知の目視又はその他の検査方法によって、特定することができる。目視検査は、例えばビデオ装置を使用して行うことができる。損傷個所の除去前のある時点又は除去中に、損傷個所は、固定して（すなわち、繋いで）、損傷個所を切り取った時に、損傷個所を原子炉内で置き忘れたり或いは紛失したりするのを防止するようにすべきである。
【００２９】
損傷個所を除去する工程は、１つ以上の水中ラインの１つから損傷個所を切り取る工程と、また／或いは１つ以上の支持ブラケットの１つから損傷個所を切り取る工程とを含むことができる。水中ラインへの切れ目は、例えば平滑かつ／又は水中ラインの軸方向に対してほぼ垂直とすることができる。
【００３０】
損傷個所は、例えば放電加工機（「ＥＤＭ」）又は当業者に公知のその他の適切な方法によって切り取ることができる。損傷個所を切り取った後に、損傷個所は、原子炉から除去することができる。
【００３１】
損傷個所を交換する工程は、損傷個所の代わりに、端部を含むスプールピースを代用する工程と、１つ以上の水中ラインの１つにスプールピースの端部を接合する工程と、また／或いは１つ以上の支持ブラケットの１つにスプールピースを連結する工程とを含むことができる。
【００３２】
図３は、実施形態例による、スプールピース３００とそこから損傷個所が切り取られた水中ラインの端部３０２、３０４とを示す概略図である。図４は、別の実施形態例による、スプールピース３００とそこから損傷個所が切り取られた水中ラインの端部３０２、３０４と締嵌め具４００、４０２とを示す概略図である。
【００３３】
スプールピース３００は、例えば水中ラインから（及び支持ブラケットから）切り取られた損傷個所に相当するチューブの長さを含むことができる。スプールピース３００の端部３０６、３０８は、それから損傷個所を切り取ることになる又は切り取った水中ラインの端部３０２、３０４に対応しなければならない。
【００３４】
スプールピース３００は、切り取ることになる又は切り取った損傷個所よりも長い、該損傷個所とほぼ同じ長さ、或いは該損傷個所よりも短くすることができる。スプールピース３００の外径は、切り取ることになる又は切り取った損傷個所の外径よりも大きい、該損傷個所の外径とほぼ同じ、或いは該損傷個所の外径よりも小さくすることができる。スプールピース３００の内径は、切り取ることになる又は切り取った損傷個所の内径よりも大きい、該損傷個所の内径とほぼ同じ、或いは該損傷個所の内径よりも小さくすることができる。スプールピース３００の内径は、切り取ることになる又は切り取った損傷個所の外径よりも大きい、該損傷個所の外径とほぼ同じ、或いは該損傷個所の外径よりも小さくすることができる。
【００３５】
スプールピース３００は、一方又は両方の端部３０６、３０８の近くのその内表面上に、１つ以上のグルーブ、リッジ、リップなどを含むことができる。それから損傷個所を切り取った水中ラインにスプールピース３００の端部３０６、３０８を接合する時に、スプールピース３００が、水中ラインの対応する端部３０２、３０４上に嵌合されると、１つ以上のグルーブ、リッジ、リップなどが、スプールピース３００の端部３０６、３０８と水中ラインの端部３０２、３０４との間の接触を改善することができる。
【００３６】
１つ以上のグルーブは、例えば、１つ以上のスパイラルグルーブ、１つ以上の平行グルーブ、並びに／或いは１つ以上の円周方向グルーブを含むことができる。１つ以上のグルーブは、連続的なもの或いは連続的でないものとすることができる。１つ以上のリッジは、例えば１つ以上のスパイラルリッジ、１つ以上の平行リッジ、並びに／或いは１つ以上の円周方向リッジを含むことができる。１つ以上のリッジは、連続的なもの或いは連続的でないものとすることができる。１つ以上のリップは、連続的なもの或いは連続的でないものとすることができる。
【００３７】
スプールピース３００は、例えば原子炉の建設で使用される１つ以上の材料を含むことができる。スプールピース３００は、例えば原子炉の建設で使用される１つ以上の高力合金を含むことができる。スプールピース３００は、例えば１つ以上のステンレス鋼（すなわち、３０４型、３１６型及び／又はＸＭ１９型）、並びに／或いは１つ以上のニッケルクロム鉄合金（すなわち、Ｉｎｃｏｎｅｌ（商標）Ｘ７５０）を含むことができる。
【００３８】
それに加えて又はその代わりに、スプールピース３００は、例えば温度変化に曝された時に寸法を変化させるかつ／或いは形状記憶特性を有する１つ以上の材料を含むことができる。スプールピース３００は、例えば温度変化に曝された時に寸法を変化させるかつ／或いは形状記憶特性を有する１つ以上の金属又は金属合金を含むことができる。実施形態例では、スプールピース３００は、例えばコネチカット州ベスル及びカリフォルニア州メンロパーク所在のＭｅｍｒｙ  Ｃｏｒｐｏｒａｔｉｏｎから入手可能な商標名Ｎｉｔｉｎｏｌ及び／又はＴｉｎｅｌによって公知の約５０％のチタン及び約５０％のニッケルの１つ以上の合金を含むことができる。１つ以上の合金は、例えばチタンよりも多くのニッケル（すなわち、約５５ｗｔ％のＮｉと約４５ｗｔ％のＴｉ）を含むことができる。それに加えて又はその代わりに、１つ以上の合金は、例えばニオブのような１つ以上のその他の合金材料を含むことができる。この場合には、１つ以上の合金は、例えば約５６ｗｔ％のＮｉと、約１４ｗｔ％のＮｂと、約３０ｗｔ％のＴｉとを含むことができる。その他の特性に加えて、これらの合金は、その中で起こる１つ以上の相変化のために、温度の増加と共に収縮する傾向がある。
【００３９】
温度変化に曝された時に寸法を変化させるかつ／或いは形状記憶特性を有する１つ以上の材料を含む対象物は、マンドレル又はその他の適切な装置上で加工処理して該対象物を拡張させることができる。一般的に、加工処理は、相変化温度よりも低い温度で行われる。対象物がほぼ円形である場合には、マンドレルもまた、ほぼ円形とすることができる。
【００４０】
上述のように、それから損傷個所を切り取った水中ラインにスプールピース３００の端部３０６、３０８を接合する時に、スプールピース３００は、対応する水中ラインの端部３０２、３０４上に嵌合させることができる。この場合には、スプールピース３００は、例えば原子炉の建設で使用される１つ以上の材料、並びに／或いは温度変化に曝された時に寸法を変化させるかつ／或いは形状記憶特性を有する１つ以上の材料を含むことができる。それに加えて又はその代わりに、１つ以上の締嵌め具（焼嵌め金具（ｓｈｒｉｎｋ  ｆｉｔｔｉｎｇ））４００、４０２は、スプールピース３００上に配置することができる。１つ以上の締嵌め具４００、４０２は、スプールピース３００上に作用して、水中ラインの対応する端部３０２、３０４にスプールピース３００を固定するか又は固定するのを助けることができる。
【００４１】
１つ以上の締嵌め具４００、４０２は、例えば温度変化に曝された時に寸法を変化させるかつ／或いは形状記憶特性を有する１つ以上の材料を含むことができる。１つ以上の締嵌め具４００、４０２は、例えば温度変化に曝された時に寸法を変化させるかつ／或いは形状記憶特性を有する１つ以上の金属又は金属合金を含むことができる。実施形態例では、１つ以上の締嵌め具４００、４０２は、上述のようにＮｉｔｉｎｏｌ及び／又はＴｉｎｅｌとして公知の約５０％のチタン及び約５０％のニッケルの１つ以上の合金を含むことができる。それに加えて又はその代わりに、この１つ以上の合金は、例えば、これもまた上述のようにニオブのような１つ以上のその他の合金材料を含むことができる。
【００４２】
１つ以上の締嵌め具４００、４０２は、多くの形状寸法を含むことができる。例えば、１つ以上の締嵌め具４００、４０２は、ほぼ円形（すなわち、円形、楕円形、丸み状、湾曲状）とすることができる。実施形例態では、１つ以上の締嵌め具４００、４０２は、例えば、Ｍｅｍｒｙ  Ｃｏｒｐｏｒａｔｉｏｎから入手可能な収縮（補強）リングである。
【００４３】
スプールピース３００は、一方又は両方の端部３０６、３０８の近くのその外表面上に１つ以上のグルーブ、リッジ、リップなどを含むことができる。同様に、１つ以上の締嵌め具４００、４０２は、それらの内表面上に１つ以上のグルーブ、リッジ、リップなどを含むことができる。１つ以上の締嵌め具４００、４０２がスプールピース３００上に作用して水中ラインの対応する端部３０２、３０４にスプールピース３００を固定するか又は固定するのを助ける時に、スプールピース３００の外表面上の１つ以上のグルーブ、リッジ、リップなど並びに／或いは１つ以上の締嵌め具４００、４０２の内表面上の１つ以上のグルーブ、リッジ、リップなどは、スプールピース３００と１つ以上の締嵌め具４００、４０２との間の接触を改善しまた／或いはスプールピース３００の端部３０６、３０８と水中ラインの端部３０２、３０４との間の接触を改善することができる。
【００４４】
１つ以上のグルーブは、例えば１つ以上のスパイラルグルーブ、１つ以上の平行グルーブ、並びに／或いは１つ以上の円周方向グルーブを含むことができる。１つ以上のグルーブは、連続的なもの或いは連続的でないものとすることができる。１つ以上のリッジは、例えば１つ以上のスパイラルリッジ、１つ以上の平行リッジ、並びに／或いは１つ以上の円周方向リッジを含むことができる。１つ以上のリッジは、連続的なもの或いは連続的でないものとすることができる。１つ以上のリップは、連続的なもの或いは連続的でないものとすることができる。
【００４５】
１つ以上の締嵌め具４００、４０２は、水中ラインの対応する端部３０２、３０４上にスプールピース３００を嵌合するのに先立って、図４に示す位置においてスプールピース３００上に配置することができる。それに加えて又はその代わりに、１つ以上の締嵌め具４００、４０２は、スプールピース３００上のその他の部位（或いは、水中ラインの端部３０２及び／又は端部３０４上）に配置し、次に水中ラインの対応する端部３０２、３０４の上にスプールピース３００を嵌合した後に、図４に示す位置に配置することができる。
【００４６】
図５は、実施形態例による、スプールピース５００とカップリング５０２、５０４（スリーブ５１０、５１２のみ）とそこから損傷個所が切り取られた水中ラインの端部３０２、３０４とを示す概略図である。図６は、別の実施形態例による、スプールピース５００とカップリング５０２、５０４（スリーブ５１０、５１２及び締嵌め具６００、６０２、６０４、６０６）とそこから損傷個所が切り取られた水中ラインの端部３０２、３０４とを示す概略図である。
【００４７】
スプールピース５００は、例えば水中ラインから（及び支持ブラケットから）切り取られた損傷個所に相当するチューブの長さを含むことができる。スプールピース３００の端部５０６、５０８は、それから損傷個所を切り取ることになる又は切り取った水中ラインの端部３０２、３０４に対応しなければならない。
【００４８】
スプールピース５００は、切り取ることになる又は切り取った損傷個所よりも長い、該損傷個所とほぼ同じ長さ、或いは該損傷個所よりも短くすることができる。スプールピース５００の外径は、切り取ることになる又は切り取った損傷個所の外径よりも大きい、該損傷個所の外径とほぼ同じ、或いは該損傷個所の外径よりも小さくすることができる。スプールピース５００の内径は、切り取ることになる又は切り取った損傷個所の内径よりも大きい、該損傷個所の内径とほぼ同じ、或いは該損傷個所の内径よりも小さくすることができる。
【００４９】
それから損傷個所を切り取った水中ラインにスプールピース５００の端部５０６、５０８を接合する時に、スプールピース５００は、水中ラインの対応する端部３０２、３０４上に嵌合させる代わりに、それらの端部３０２、３０４に隣接して配置することができる。この場合には、スプールピース５００は、例えば原子炉の建設で使用される１つ以上の材料を含むことができる。スプールピース５００は、例えば原子炉の建設で使用される１つ以上の高力合金を含むことができる。スプールピース５００は、例えば１つ以上のステンレス鋼（すなわち、３０４型、３１６型及び／又はＸＭ１９型）、並びに／或いは１つ以上のニッケルクロム鉄合金（すなわち、Ｉｎｃｏｎｅｌ（商標）Ｘ７５０）を含むことができる。
【００５０】
１つ以上のカップリング５０２、５０４は、スプールピース５００上に配置することができる。各カップリング５０２、５０４は、スリーブ５１０、５１２或いは複数のスリーブ５１０、５１２と１つ以上の締嵌め具６００、６０２、６０４、６０６とを含むことができる。１つ以上のカップリング５０２、５０４がスリーブ５１０、５１２のみを含む場合には、スリーブ５１０、５１２は、例えば温度変化に曝された時に寸法を変化させるかつ／或いは形状記憶特性を有する１つ以上の材料を含むことができる。実施形態例では、スリーブ５１０、５１２は、上述のように、Ｎｉｔｉｎｏｌ及び／又はＴｉｎｅｌとして公知の約５０％のチタン及び約５０％のニッケルの１つ以上の合金を含むことができる。それに加えて又はその代わりに、１つ以上の合金は、上述のように、例えばニオブのような１つ以上のその他の合金材料を含むことができる。
【００５１】
１つ以上のカップリング５０２、５０４がスリーブ５１０、５１２と１つ以上の締嵌め具６００、６０２、６０４、６０６とを含む場合には、スリーブ５１０、５１２は、例えば原子炉の建設で使用される１つ以上の材料、並びに／或いは温度変化に曝された時に寸法を変化させるかつ／或いは形状記憶特性を有する１つ以上の材料を含むことができる。実施形態例では、スリーブ５１０、５１２は、例えば１つ以上のステンレス鋼（すなわち、３０４型、３１６型及び／又はＸＭ１９型）、並びに／或いは１つ以上のニッケルクロム鉄合金（すなわち、Ｉｎｃｏｎｅｌ（商標）Ｘ７５０）を含むことができる。それに加えて又はその代わりに、スリーブ５１０、５１２は、上述のように、Ｎｉｔｉｎｏｌ及び／又はＴｉｎｅｌとして公知の約５０％のチタン及び約５０％のニッケルの１つ以上の合金を含むことができる。それに加えて又はその代わりに、１つ以上の合金は、上述のように、例えばニオブのような１つ以上のその他の合金材料を含むことができる。
【００５２】
１つ以上の締嵌め具６００、６０２、６０４、６０６は、例えば温度変化に曝された時に寸法を変化させるかつ／或いは形状記憶特性を有する１つ以上の材料を含むことができる。実施形態例では、１つ以上の締嵌め具６００、６０２、６０４、６０６は、上述のように、Ｎｉｔｉｎｏｌ及び／又はＴｉｎｅｌとして公知の約５０％のチタン及び約５０％のニッケルの１つ以上の合金を含むことができる。それに加えて又はその代わりに、１つ以上の合金は、上述のように、例えばニオブのような１つ以上のその他の合金材料を含むことができる。
【００５３】
１つ以上の締嵌め具６００、６０２、６０４、６０６は、多くの形状寸法を含むことができる。例えば、１つ以上の締嵌め具６００、６０２、６０４、６０６は、ほぼ円形（すなわち、円形、楕円形、丸み状、湾曲状）とすることができる。実施形態例では、１つ以上の締嵌め具６００、６０２、６０４、６０６は、例えば、Ｍｅｍｒｙ  Ｃｏｒｐｏｒａｔｉｏｎから入手可能である補強リングである。
【００５４】
スプールピース５００は、一方又は両方の端部５０６、５０８の近くのその外表面上に１つ以上のグルーブ、リッジ、リップなどを含むことができる。同様に、スリーブ５１０、５１２は、その内表面上に１つ以上のグルーブ、リッジ、リップなどを含むことができる。スリーブ５１０、５１２がスプールピース５００及び水中ラインの端部３０２、３０４上に作用して端部３０２、３０４にスプールピース５００を固定するか又は固定するのを助ける時に、スプールピース５００の外表面上の１つ以上のグルーブ、リッジ、リップなど並びに／或いはスリーブ５１０、５１２の内表面上の１つ以上のグルーブ、リッジ、リップなどは、スリーブ５１０、５１２とスプールピース５００の端部５０６、５０８との間の接触を改善しまた／或いはスリーブ５１０、５１２と水中ラインの端部３０２、３０４との間の接触を改善することができる。
【００５５】
それに加えて又はその代わりに、スリーブ５１０、５１２は、その外表面上に１つ以上のグルーブ、リッジ、リップなどを含むことができる。同様に、１つ以上の締嵌め具６００、６０２、６０４、６０６は、その内表面上に１つ以上のグルーブ、リッジ、リップなどを含むことができる。１つ以上の締嵌め具６００、６０２、６０４、６０６がスリーブ５１０、５１２上に作用する時に、スリーブ５１０、５１２の外表面上の１つ以上のグルーブ、リッジ、リップなど並びに／或いは１つ以上の締嵌め具６００、６０２、６０４、６０６の内表面上の１つ以上のグルーブ、リッジ、リップなどは、スリーブ５１０、５１２と１つ以上の締嵌め具６００、６０２、６０４、６０６との間の接触を改善し、スリーブ５１０、５１２とスプールピース５００の端部５０６、５０８との間の接触を改善し、また／或いはスリーブ５１０、５１２と水中ラインの端部３０２、３０４との間の接触を改善することができる。
【００５６】
１つ以上のグルーブは、例えば１つ以上のスパイラルグルーブ、１つ以上の平行グルーブ、並びに／或いは１つ以上の円周方向グルーブを含むことができる。１つ以上のグルーブは、連続的なもの或いは連続的でないものとすることができる。１つ以上のリッジは、例えば１つ以上のスパイラルリッジ、１つ以上の平行リッジ、並びに／或いは１つ以上の円周方向リッジを含むことができる。１つ以上のリッジは、連続的なもの或いは連続的でないものとすることができる。１つ以上のリップは、連続的なもの或いは連続的でないものとすることができる。
【００５７】
スリーブ５１０、５１２は、水中ラインの対応する端部３０２、３０４に隣接してスプールピース５００を配置するのに先立って、図５に示す位置においてスプールピース５００上に配置することができる。それに加えて又はその代わりに、スリーブ５１０、５１２は、スプールピース５００上のその他の部位（或いは、水中ラインの端部３０２及び／又は端部３０４上）に配置し、次に水中ラインの対応する端部３０２、３０４に隣接してスプールピース５００を配置した後に、図５に示す位置に配置することができる。
【００５８】
それに加えて又はその代わりに、１つ以上の締嵌め具６００、６０２、６０４、６０６は、水中ラインの対応する端部３０２、３０４に隣接してスプールピース５００を配置するのに先立ってまた／或いはスプールピース５００の端部５０６、５０８及び水中ラインの対応する端部３０２、３０４上にスリーブ５１０、５１２を嵌合するのに先立って、図６に示す位置においてスリーブ５１０、５１２上に配置することができる。それに加えて又はその代わりに、１つ以上の締嵌め具６００、６０２、６０４、６０６は、スプールピース５００上のその他の部位又はスリーブ５１０、５１２上のその他の部位（或いは、水中ラインの端部３０２及び／又は端部３０４上）に配置し、次に水中ラインの対応する端部３０２、３０４に隣接してスプールピース５００を配置した後にまた／或いはスプールピース５００の端部５０６、５０８及び水中ラインの対応する端部３０２、３０４上にスリーブ５１０、５１２を嵌合した後に、図６に示す位置に配置することができる。
【００５９】
スプールピースを連結する工程は、支持ブラケットの１つに本体を連結する工程と、また／或いは本体にスプールピースを固定する工程とを含むことができる。
【００６０】
１つ以上の支持ブラケット２０２は、例えばベース及び該ベースから延びる２つ又はそれ以上のフィンガ部を含むことができる。フィンガ部は、多くの形状寸法を含むことができる。例えば、フィンガ部は、１つ以上の直方体の形状に近似させることができる。
【００６１】
図７は、実施形態例による本体７００の斜視図である。図８は、別の実施形態例による本体８００の正面図である。図９は、さらに別の実施形態例による本体９００の正面図である。図１０は、さらに別の実施形態例による本体１０００の斜視図である。
【００６２】
本体７００は、例えば該本体７００の少なくとも一部分をフィンガ部の１つ以上の上に嵌合することによって、また／或いは該本体７００の少なくとも一部分をフィンガ部の２つ又はそれ以上の間に嵌合ことによって、支持ブラケット２０２の１つに該本体７００を連結ことができるように、設計することができる。
【００６３】
本体７００は、多くの形状寸法を含むことができる。例えば、本体７００の部分は、直方体、球又は円盤の形状に近似させることができる。実施形態例では、本体８００の第１の部分８０２は、１次元で文字「Ｕ」の形状に近似させて、文字「Ｕ」の尖叉に対向する端部から見た時に、第１の部分８０２の断面が、図８に示すように長方形状に近似するようにすることができる。別の実施形態例では、本体９００の第１の部分９０２は、２次元で文字「Ｕ」の形状に近似させて、文字「Ｕ」の尖叉に対向する端部から見た時に、第１の部分９０２の断面が、図９に示すように十字形状に近似するようにすることができる。さらに別の実施形態例では、本体１０００の第１の部分１００２は、その表面内に２つの軸方向グルーブ１００４、１００６が形成された円筒形状に近似させて、軸方向から見た時に、第１の部分１００２の断面が、図１０に示すように文字「Ｉ」の形状に近似するようにすることができる。
【００６４】
本体７００、８００、９００、１０００の１つ以上の内部表面は、該本体７００、８００、９００、１０００の少なくとも一部分をフィンガ部の１つ以上の上に嵌合し、また／或いは該本体７００、８００、９００、１０００の少なくとも一部分をフィンガ部の２つ又はそれ以上間に嵌合して支持ブラケット２０２に該本体７００、８００、９００、１０００を連結するのを可能にするような寸法、形状及び／又は配向にすることができる。
【００６５】
図１１は、それに連結された第１の本体７００と第２の本体１１００とを示す支持ブラケット２０２の側面図である。本体７００の少なくとも一部分は、フィンガ部の１つ以上の上に嵌合することができる。本体１１００の少なくとも一部分は、フィンガ部の２つ又はそれ以上間に嵌合することができる。１つ以上の締嵌め具１１０２は、支持ブラケット２０２に本体７００を連結することができる。１つ以上の締嵌め具１１０４は、支持ブラケット２０２に本体１１００を連結することができる。スプールピース１１０６は、本体７００並びに／或いは１つ以上の締嵌め具１１０２によって、支持ブラケット２０２に連結することができる。スプールピース１１０８は、本体１１００並びに／或いは１つ以上の締嵌め具１１０４によって、支持ブラケット２０２に連結することができる。
【００６６】
実施形態例では、本体７００の第１の部分７０２は、１次元で文字「Ｕ」の形状に近似させて、文字「Ｕ」の尖叉に対向する端部から見た時に、その断面が、長方形状に近似するようにすることができる。本体７００の内表面７０４及び／又は７０６は、図１１に示すように、支持ブラケット２０２に本体７００を連結するのを可能にすることができる（すなわち、内表面７０４及び７０６は、支持ブラケット２０２のフィンガ部の外表面の形状に実質的に一致させることができる）。それに加えて又はその代わりに、本体７００の第２の部分７０８及び／又は第３の部分７１０は、これもまた図１１に示すように、支持ブラケット２０２に本体７００を連結するのを可能にすることができる（すなわち、第２の部分７０８及び／又は第３の部分７１０によって、本体７００が比較的容易にフィンガ部の１つ以上の上に嵌合するように本体７００が開くことを可能にし、また／或いは本体７００が支持ブラケット２０２に緊密に連結するように本体７００が閉じることを可能にすることができる）。
【００６７】
本体７００は、該本体７００上に作用する１つ以上の締嵌め具を使用して、支持ブラケット２０２に連結されるように設計することができる。実施形態例では、本体７００は、この連結を可能にする１つ以上の表面７１２、７１４を含むことができる。例えば、１つ以上の表面７１２、７１４は、１つ以上の締嵌め具を受けるような寸法、形状及び／又は配向にすることができる。実施形態例では、１つ以上の表面７１２、７１４は、１つ以上の締嵌め具を受けるような丸みを付けることができる。別の実施形態例では、１つ以上の表面７１２、７１４は、１つ以上の締嵌め具を保持するような１つ以上のリップ７１６、７１８を含むことができる。さらに別の実施形態例では、１つ以上の表面は、１つ以上の締嵌め具を受けかつ保持するような１つ以上のグルーブ（図示せず）を含むことができる。これらの実施形態例の各々では、１つ以上の締嵌め具は、１つ以上の補強リングを含むことができる。
【００６８】
本体７００は、該本体７００にスプールピースを溶接せずに固定するようになった１つ以上の部位７２０を含むことができる。１つ以上の部位７２０は、スプールピースを受けるような寸法、形状及び／又は配向にすることができる。それに加えて又はその代わりに、１つ以上の部位７２０は、１つ以上の締嵌め具を受けるような寸法、形状及び／又は配向にすることができる。
【００６９】
スプールピースは、１つ以上の部位７２０の少なくとも１つと組合せることができる。本体７００にスプールピースを固定するのに先立って（及び／又は、支持ブラケット２０２に本体７００を連結するのに先立って）、スプールピースは、１つ以上の部位７２０の少なくとも１つに対して軸方向に移動させることができる。この軸方向の運動によって、スプールピースは、例えばそれから損傷個所を切り取った水中ラインの対応する端部３０２、３０４上に嵌合させるか、又はこれら端部上に嵌合させる代わりに、それら水中ラインの対応する端部３０２、３０４に隣接して配置することが可能になる。スプールピースを、水中ラインの対応する端部３０２、３０４上に嵌合させるか又はそれらの端部に隣接して配置した後に、スプールピースは、１つ以上の部位７２０の少なくとも１つ上に作用する１つ以上の締嵌め具によって、本体に固定することができる。
【００７０】
実施形態例では、１つ以上の部位７２０は、１つ以上のコレット７２４を含むことができる。１つ以上のコレット７２４は、スプールピースを受けるような寸法、形状及び／又は配向とすることができる。それに加えて又はその代わりに、１つ以上のコレット７２４は、１つ以上の締嵌め具を受けるような寸法、形状及び／又は配向とすることができる。１つ以上のコレット７２４は、２つ又はそれ以上のカーフカット７２６を含むことができる。
【００７１】
スプールピースは、１つ以上のコレット７２４の少なくとも１つを通して螺合することができる。本体７００にスプールピースを固定するのに先立って（及び／又は、支持ブラケット２０２に本体７００を連結するのに先立って）、スプールピースは、１つ以上のコレット７２４内で軸方向に移動させることができる。この軸方向の運動によって、スプールピースは、例えばそれから損傷個所を切り取った水中ラインの対応する端部３０２、３０４上に嵌合させるか、又はこれら端部上に嵌合させる代わりに、それら水中ラインの対応する端部３０２、３０４に隣接して配置することが可能になる。スプールピースを、水中ラインの対応する端部３０２、３０４上に嵌合させるか又はそれらの端部に隣接して配置した後に、スプールピースは、１つ以上のコレット７２４の少なくとも１つ上に作用する１つ以上の締嵌め具によって、本体７００に固定することができる。
【００７２】
実施形態例では、本体７００の第２の部分は、図７に示すように、コレット７２４を含むことができる。コレット７２４は、これもまた図７に示すように、複数のカーフカット７２６を含むことができる。コレット７２４は、スプールピースを受けるような寸法、形状及び／又は配向とすることができる。それに加えて又はその代わりに、コレット７２４は、締嵌め具を受けるような寸法、形状及び／又は配向とすることができる。締嵌め具は、補強リングとすることができる。
【００７３】
本体７００の端部７２８は、中実なもの或いは中実でないものとすることができる。例えば、本体７００の端部７２８は、支持ブラケット２０２のフィンガ部を受け入れることができる窪み又は開口（図示せず）を含むことができる。
【００７４】
本体１０００は、本体１０００にスプールピースを溶接せずに固定するようななった１つ以上の部位１００８を含むことができる。１つ以上の部位１００８は、スプールピースを受けるような寸法、形状及び／又は配向とすることができる。それに加えて又はその代わりに、１つ以上の部位１００８は、１つ以上の締嵌め具を受けるような寸法、形状及び／又は配向とすることができる。１つ以上の締嵌め具は、１つ以上の部位１００８上に、或いはスプールピース及び１つ以上の部位１００８上に作用することができる。
【００７５】
図１２は、実施形態例による、本体及とスプールピースとを示す概略図である。本体１２００は、本体１２００にスプールピース１２０２を溶接せずに固定するようになった２つの部位１２０４、１２０６を含むことができる。部位１２０４、１２０６は、スプールピース１２０２を受けるような寸法、形状及び／又は配向とすることができる。それに加えて又はその代わりに、部位１２０４、１２０６は、１つ以上の締嵌め具１２０８、１２１０を受けるような寸法、形状及び／又は配向とすることができる。１つ以上の締嵌め具１２０８、１２１０は、部位１２０４、１２０６上に、又はスプールピース１２０２及び部位１２０４、１２０６上に作用することができる。
【００７６】
本体７００、８００、９００、１０００、１１００、１２００は、例えば原子炉の建設で使用される１つ以上の材料を含むことができる。本体７００、８００、９００、１０００、１１００、１２００は、例えば原子炉の建設で使用される１つ以上の高力合金を含むことができる。本体７００、８００、９００、１０００、１１００、１２００は、例えば１つ以上のステンレス鋼（すなわち、３０４型、３１６型及び／又はＸＭ１９型）、並びに／或いは１つ以上のニッケルクロム鉄合金（すなわち、Ｉｎｃｏｎｅｌ（商標）Ｘ７５０）を含むことができる。
【００７７】
別の実施形態例では、１つ以上の支持ブラケットに溶接された１つ以上の水中ラインを含む原子炉を補修する方法は、１つ以上の水中ラインの１つ以上の損傷個所を除去する工程と、また／或いは１つ以上の水中ラインの１つ以上の損傷個所を溶接せずに交換する工程とを含むことができる。
【００７８】
さらに別の実施形態例では、１つ以上の支持ブラケットに溶接された１つ以上の水中ラインを含む原子炉を運転する方法は、原子炉を運転停止する工程と、１つ以上の水中ラインの少なくとも１つに対する損傷を溶接せずに補修する工程と、また／或いは原子炉を運転開始する工程とを含むことができる。
【００７９】
上述のように、１つ以上の水中ラインの少なくとも１つに対する損傷を補修する工程は、１つ以上の支持ブラケットの少なくとも１つに溶接された水中ラインの損傷個所を除去する工程と、また／或いは水中ラインの損傷個所を交換する工程とを含むことができる。
【００８０】
１つ以上の水中ラインの少なくとも１つに対する損傷は、原子炉を運転停止した後かつ原子炉を運転開始する前に、補修することができる。原子炉の状態応じて、補修の少なくとも一部分は、原子炉を運転停止する前に開始することができ、或いは補修の少なくとも一部分は、原子炉を運転停止した状態で開始することができる。
【００８１】
さらに別の実施形態例では、１つ以上の支持ブラケットに溶接された１つ以上の水中ラインを含む原子炉を運転する方法は、原子炉を冷却運転する工程と、１つ以上の水中ラインの少なくとも１つに対する損傷を溶接せずに補修する工程と、また／或いは原子炉を昇温運転する工程とを含むことができる。
【００８２】
１つ以上の水中ラインの少なくとも１つに対する損傷は、原子炉を冷却運転した後かつ原子炉を昇温運転する前に、補修することができる。原子炉の状態に応じて、補修は、原子炉を冷却運転せずに行うことができ、或いは補修の少なくとも一部分は、原子炉を冷却運転する前に開始することができ、或いは補修の少なくとも一部分は、原子炉を冷却運転した状態で開始することができる。原子炉は、例えば４００°Ｆ、３５０°Ｆ、３００°Ｆ、２５０°Ｆ、２１２°Ｆ、２００°Ｆ、１７５°Ｆ、１５０°Ｆ、１２５°Ｆ、１００°Ｆ及び／又は７５°Ｆよりも低くまで冷却運転することができる。原子炉の昇温運転は、寸法、収縮、相変化及び／又は形状記憶特性を変更するのを可能にすることができる。
【００８３】
水中ラインに対する損傷を補修することは、原子炉を通る流れがある状態ではより困難である可能性があるが、１つ以上の水中ラインの少なくとも１つに対する損傷は、１つ以上の再循環ポンプを通る流れ並びに／或いは１つ以上のジェットポンプ組立体１３８を通る流れを含む様々な流れ条件の下で補修することができる。
【００８４】
さらなる実施形態例では、１つ以上の支持ブラケットに溶接された１つ以上の水中ラインを含む原子炉を補修するための装置は、それにスプールピースを溶接せずに固定するようになった１つ以上の部位を備えた上述の本体を含むことができる。
【００８５】
別のさらなる実施形態例では、１つ以上の支持ブラケットに溶接された１つ以上の水中ラインを含む原子炉を補修するための装置は、上述のスプールピースと、並びに／或いはそれにスプールピースを溶接せずに固定するようになった１つ以上の部位を備えた上述の本体とを含むことができる。
【００８６】
１つ以上の支持ブラケットに溶接された１つ以上の水中ラインを含む原子炉を補修するためのキットは、それにスプールピースを溶接せずに固定するようになった１つ以上の部位を備えた上述の本体を含むことができる。それに加えて又はその代わりに、このキットは、上述のスプールピースと、並びに／或いはそれにスプールピースを溶接せずに固定するようになった１つ以上の部位を備えた上述の本体とを含むことができる。それに加えて又はその代わりに、このキットは、スプールピースと、本体（２つの締嵌め具を備えた）と、並びに／或いは２つのカップリング（２つのスリーブ及び／又は４つの締嵌め具を備えた）とを含むことができる。
【００８７】
図１３は、実施形態例による、本体及び２つの締嵌め具と図６のものと同様なスプールピース及び２つのカップリング（２つのスリーブ及び４つの締嵌め具）とを使用して行われた補修の第１の斜視図である。図１４は、図１３の補修の第２の拡大斜視図である。
【００８８】
実施形態例を具体的に示しかつ説明してきたが、特許請求の範囲によって定まる本発明の技術思想及び技術的範囲から逸脱せずに、実施形態例においてその形態及び細部における様々な変更を加えることができることは、当業者には理解されるであろう。
【図面の簡単な説明】
【００８９】
【図１】従来技術のＢＷＲにおけるＲＰＶの一部を切除した状態の断面図。
【図２】従来技術のＢＷＲにおけるＲＰＶの内部の一部を切除した状態のかつ／又はシルエットとしての断面図。
【図３】実施形態例による、スプールピースとそこから損傷個所が切り取られた水中ラインの端部とを示す概略図。
【図４】別の実施形態例による、スプールピースとそこから損傷個所が切り取られた水中ラインの端部と締嵌め具とを示す概略図。
【図５】実施形態例による、スプールピースとカップリング（スリーブのみ）とそこから損傷個所が切り取られた水中ラインの端部とを示す概略図。
【図６】別の実施形態例による、スプールピースとカップリング（スリーブ及び締嵌め具）とそこから損傷個所が切り取られた水中ラインの端部とを示す概略図。
【図７】実施形態例による本体の斜視図。
【図８】別の実施形態例による本体の正面図。
【図９】さらに別の実施形態例による本体の正面図。
【図１０】さらに別の実施形態例による本体の斜視図。
【図１１】それに連結された第１の本体と第２の本体とを示す支持ブラケットの側面図。
【図１２】実施形態例による、本体及とスプールピースとを示す概略図。
【図１３】実施形態例による、本体及び２つの締嵌め具と図６のものと同様なスプールピース及び２つのカップリング（２つのスリーブ及び４つの締嵌め具）とを使用して行われた補修の第１の斜視図。
【図１４】図１３の補修の第２の拡大斜視図。
【符号の説明】
【００９０】
１００  原子炉圧力容器
１０２  炉心
１０４  給水入口
１０６  給水スパージャ
１０８  降水管アニュラス
１１０  炉心シュラウド
１１２  燃料集合体
１１４  頂部ガイド
１１６  炉心プレート
１１８  炉心下方プレナム
１２０  炉心上方プレナム
１２２  シュラウドヘッド
１２４  スタンドパイプ
１２６  汽水分離器
１２８  混合プレナム
１３０  蒸気乾燥器
１３２  蒸気ドーム
１３４  蒸気出口
１３６  再循環水出口
１３８  ジェットポンプ組立体
１４０  再循環水入口
１４２  入口ミキサ
１４４  エルボ
１４６  入口ライザ部
１４８  ディフューザ
２００  検出ライン
２０２  支持ブラケット
２０４  貫通ノズル
２０６  壁
３００  スプールピース
３０２  端部
３０４  端部
３０６  端部
３０８  端部
４００  締嵌め具
４０２  締嵌め具
５００  スプールピース
５０２  カップリング
５０４  カップリング
５０６  端部
５０８  端部
５１０  スリーブ
５１２  スリーブ
６００  締嵌め具
６０２  締嵌め具
６０４  締嵌め具
６０６  締嵌め具
７００  本体
７０２  第１の部分
７０４  内表面
７０６  内表面
７０８  第２の部分
７１０  第３の部分
７１２  表面
７１４  表面
７１６  リップ
７１８  リップ
７２０  部位
７２２  第２の部分
７２４  コレット
７２６  カーフカット
７２８  端部
８００  本体
８０２  第１の部分
９００  本体
９０２  第１の部分
１０００  本体
１００２  第１の部分
１００４  軸方向グルーブ
１００６  軸方向グルーブ
１００８  部位
１１００  本体
１１０２  締嵌め具
１１０４  締嵌め具
１１０６  スプールピース
１１０８  スプールピース
１２００  本体
１２０２  スプールピース
１２０４  部位
１２０６  部位
１２０８  締嵌め具
１２１０  締嵌め具
【図１】
0005559958.tif 000002
【図２】
0005559958.tif 000003
【図３】
0005559958.tif 000004
【図４】
0005559958.tif 000005
【図５】
0005559958.tif 000006
【図６】
0005559958.tif 000007
【図７】
0005559958.tif 000008
【図８】
0005559958.tif 000009
【図９】
0005559958.tif 000010
【図１０】
0005559958.tif 000011
【図１１】
0005559958.tif 000012
【図１２】
0005559958.tif 000013
【図１３】
0005559958.tif 000014
【図１４】
0005559958.tif 000015